(57)【要約】【課題】  視差数を増加するために横、縦両方向の解像度を犠牲にした印刷物等とレンチキュラレンズからなる立体表示媒体で、解像度の低下を抑え、縦横の解像度を合わせる。【解決手段】  画素ユニット１１が横方向に繰り返し配列され、縦方向には横方向の画素ユニット１１の繰り返し配列と同じ画素ユニット配列が並列されてなる印刷物等の上にレンチキュラレンズが重畳配置され、レンチキュラレンズの円筒レンズ２の母線方向が縦方向に対して角度をなす斜め方向にレンチキュラレンズが配置されてなり、レンチキュラレンズの１個の円筒レンズ２に対応する印刷物等の横方向の画素ユニットの数をＭ、円筒レンズ２に対して縦方向において対応する画素ユニットが１個ずれるまでの縦方向の画素ユニットの数をＮ（≠１）、１個の画素ユニットを構成する画素の数をｍ、１画素の縦寸法／横寸をｎとして、ｎ＜３，ｍ＜３，ｍ×Ｍ＝ｎ×Ｎの少なくとも１つを満足する。【選択図】        図１
2006163278.tif 000002
【特許請求の範囲】
【請求項１】
所望の色の画素単位を表示するために単数あるいは複数の画素が視差方向である横方向に隣接配置されてなる画素ユニットが横方向に繰り返し配列され、縦方向には横方向の画素ユニットの繰り返し配列と同じ画素ユニット配列が並列されてなる表示媒体の上にレンチキュラレンズが重畳配置され、レンチキュラレンズの円筒レンズの母線方向が縦方向に対して角度をなす斜め方向にレンチキュラレンズが配置されてなる立体表示媒体において、
レンチキュラレンズの円筒レンズの横方向の繰り返し単位に対応する表示媒体の横方向の画素ユニットの数をＭ、レンチキュラレンズの同じ円筒レンズに対して縦方向において対応する画素ユニットが１個ずれるまでの縦方向の画素ユニットの数をＮ（≠１）、横方向において１個の画素ユニットを構成する画素の数をｍ、１個の画素の横寸法に対する縦寸法の比をｎとするとき、
ｎ＜３                                                        ・・・（１）
を満足することを特徴とする立体表示媒体。
【請求項２】
所望の色の画素単位を表示するために単数あるいは複数の画素が視差方向である横方向に隣接配置されてなる画素ユニットが横方向に繰り返し配列され、縦方向には横方向の画素ユニットの繰り返し配列と同じ画素ユニット配列が並列されてなる表示媒体の上にレンチキュラレンズが重畳配置され、レンチキュラレンズの円筒レンズの母線方向が縦方向に対して角度をなす斜め方向にレンチキュラレンズが配置されてなる立体表示媒体において、
レンチキュラレンズの円筒レンズの横方向の繰り返し単位に対応する表示媒体の横方向の画素ユニットの数をＭ、レンチキュラレンズの同じ円筒レンズに対して縦方向において対応する画素ユニットが１個ずれるまでの縦方向の画素ユニットの数をＮ（≠１）、横方向において１個の画素ユニットを構成する画素の数をｍ、１個の画素の横寸法に対する縦寸法の比をｎとするとき、
ｍ＜３                                                        ・・・（２）
を満足することを特徴とする立体表示媒体。
【請求項３】
所望の色の画素単位を表示するために単数あるいは複数の画素が視差方向である横方向に隣接配置されてなる画素ユニットが横方向に繰り返し配列され、縦方向には横方向の画素ユニットの繰り返し配列と同じ画素ユニット配列が並列されてなる表示媒体の上にレンチキュラレンズが重畳配置され、レンチキュラレンズの円筒レンズの母線方向が縦方向に対して角度をなす斜め方向にレンチキュラレンズが配置されてなる立体表示媒体において、
レンチキュラレンズの円筒レンズの横方向の繰り返し単位に対応する表示媒体の横方向の画素ユニットの数をＭ、レンチキュラレンズの同じ円筒レンズに対して縦方向において対応する画素ユニットが１個ずれるまでの縦方向の画素ユニットの数をＮ（≠１）、横方向において１個の画素ユニットを構成する画素の数をｍ、１個の画素の横寸法に対する縦寸法の比をｎとするとき、
ｎ＜３                                                        ・・・（１）
ｍ＜３                                                        ・・・（２）
を満足することを特徴とする立体表示媒体。
【請求項４】
所望の色の画素単位を表示するために単数あるいは複数の画素が視差方向である横方向に隣接配置されてなる画素ユニットが横方向に繰り返し配列され、縦方向には横方向の画素ユニットの繰り返し配列と同じ画素ユニット配列が並列されてなる表示媒体の上にレンチキュラレンズが重畳配置され、レンチキュラレンズの円筒レンズの母線方向が縦方向に対して角度をなす斜め方向にレンチキュラレンズが配置されてなる立体表示媒体において、
レンチキュラレンズの円筒レンズの横方向の繰り返し単位に対応する表示媒体の横方向の画素ユニットの数をＭ、レンチキュラレンズの同じ円筒レンズに対して縦方向において対応する画素ユニットが１個ずれるまでの縦方向の画素ユニットの数をＮ（≠１）、横方向において１個の画素ユニットを構成する画素の数をｍ、１個の画素の横寸法に対する縦寸法の比をｎとするとき、
ｍ×Ｍ＝ｎ×Ｎ                                                ・・・（３）
を満足することを特徴とする立体表示媒体。
【請求項５】
以下の条件を満足することを特徴とする請求項１から３の何れか１項記載の立体表示媒体。
ｍ×Ｍ＝ｎ×Ｎ                                                ・・・（３）
【請求項６】
前記表示媒体が印刷物からなることを特徴とする請求項１から５の何れか１項記載の立体表示媒体。
【請求項７】
前記表示媒体が表示パネルからなることを特徴とする請求項１から５の何れか１項記載の立体表示媒体。
【発明の詳細な説明】
【技術分野】
【０００１】
本発明は、立体表示媒体に関し、特に、レンチキュラレンズと印刷物あるいは表示パネルとを組み合わせた立体表示媒体において、解像度の低下を抑え、さらに、縦横の解像度を合わせた高品質な立体表示媒体に関するものである。
【背景技術】
【０００２】
従来、印刷物とレンチキュラレンズを組み合わせた立体印刷物がよく知られている。印刷物の縦方向にレンチキュラレンズの軸方向をそろえて配置するため、横方向の解像度を犠牲にして横方向視差数を増やす方法である。この方法では、縦方向の解像度は高いのに横方向の解像度が低いため、画像の見た目が好ましくない。
【０００３】
一方、液晶ディスプレイとレンチキュラレンズを組み合わせた立体ディスプレイも考案されている。横方向の視差数を増加するために従来横方向の解像度のみを犠牲にしていたのを、例えば特許文献１、非特許文献１では、液晶ディスプレイの縦の画素配列に対して斜めにレンチキュラレンズを配置することで、横方向と縦方向の解像度を共に犠牲にするようにし、横方向の視差数を増加させた立体ディスプレイが考案されている。この方式では、横方向と縦方向の解像度をバランス良く犠牲にして横方向の視差数を増やすことができるので、視差数を増やすと共に解像度の低下を抑えることができる。
【特許文献１】特開平９−２３６７７７号公報
【非特許文献１】「３次元画像コンファレンス２００４講演論文集」ｐｐ．１７〜２０，海老沢廣喜、高木康博「７２指向性画像を表示する薄型三次元ディスプレイ」（２００４．６．２９（工学院大学）、（３次元画像コンファレンス２００４実行委員会））
【発明の開示】
【発明が解決しようとする課題】
【０００４】
ところが、液晶ディスプレイの場合、その構成は通常カラーフィルタと液晶表示パネルを組み合わせているため、フルカラーの１画素を表示するのにＲ（赤色）、Ｇ（緑色）、Ｂ（青色）の３画素を必要とし、しかもフルカラーの画像の縦横比を１対１にするため、縦横比が３対１の画素とするのが普通である。
【０００５】
印刷により、同様の構成の立体印刷物も実現可能であるが、不要な解像度の低下や明るさの減少が起き、好ましくない。
【０００６】
また、立体画像の画素の縦横比は１対１になるとは限らず、立体画像の品質は高いとは言えない。
【０００７】
本発明は従来技術のこのような問題点に鑑みてなされたものであり、その目的は、印刷物あるいは表示パネルとレンチキュラレンズとを組み合わせた立体表示媒体において、横方向の視差数を増加するために横方向、縦方向共に解像度を犠牲にする場合に、解像度の低下を抑え、さらに、縦横の解像度を合わせた高品質な立体表示媒体を提供することである。
【課題を解決するための手段】
【０００８】
上記目的を達成する本発明の立体表示媒体は、所望の色の画素単位を表示するために単数あるいは複数の画素が視差方向である横方向に隣接配置されてなる画素ユニットが横方向に繰り返し配列され、縦方向には横方向の画素ユニットの繰り返し配列と同じ画素ユニット配列が並列されてなる表示媒体の上にレンチキュラレンズが重畳配置され、レンチキュラレンズの円筒レンズの母線方向が縦方向に対して角度をなす斜め方向にレンチキュラレンズが配置されてなる立体表示媒体において、
レンチキュラレンズの円筒レンズの横方向の繰り返し単位に対応する表示媒体の横方向の画素ユニットの数をＭ、レンチキュラレンズの同じ円筒レンズに対して縦方向において対応する画素ユニットが１個ずれるまでの縦方向の画素ユニットの数をＮ（≠１）、横方向において１個の画素ユニットを構成する画素の数をｍ、１個の画素の横寸法に対する縦寸法の比をｎとするとき、
ｎ＜３                                                        ・・・（１）
ｍ＜３                                                        ・・・（２）
ｍ×Ｍ＝ｎ×Ｎ                                                ・・・（３）
の少なくとも何れか１つ、望ましくは複数を満たすものである。
【０００９】
なお、表示媒体としては、印刷物又は表示パネルがある。
【発明の効果】
【００１０】
本発明においては、条件（１）〜（３）の少なくとも何れか１つを満足するので、解像度の低下を抑え、さらに、縦横方向の解像度を合わせることで、高品質な立体印刷物、立体表示パネル等の立体表示媒体を得ることができる。
【発明を実施するための最良の形態】
【００１１】
以下に、まず、本発明の立体表示媒体として立体印刷物を例にあげて、その実施例に基づいて説明する。
【００１２】
まず、最初に用語の定義をする。表示の最小単位を画素と呼ぶ。所望の色の１画素を表示するために単数あるいは複数の画素が視差方向である横方向に隣接配置されてなる画素の組、例えば、Ｒ画素、Ｇ画素、Ｂ画素の組を画素ユニットとする。そして、立体像を表示するための１組の視差画像の相互に対応する位置の画素ユニットの１組を立体画素とする。
【００１３】
図６（ａ）は、従来の立体印刷物の１つの立体画素とレンチキュラレンズの関係を示す図であり、１つの立体画素１０は、それぞれ視差方向が異なる画像に対応する画素１を横方向に視差数だけ、この場合は１２個並べて構成されている。そして、その１つの立体画素１０に対応してレンチキュラレンズの１つの円筒レンズ２がその母線（焦線）方向を視差方法（横方向）に対して垂直な縦方向に向けて重畳されている。このような構成であるので、円筒レンズ２が横方向へ繰り返し連続して配置されてなるレンチキュラレンズを通してこのような立体画素１０の集合からなる印刷物を両眼で見ると、右眼にレンチキュラレンズの円筒レンズ２を通して入射する画素１と、左眼にレンチキュラレンズの同じ円筒レンズ２を通して入射する画素１とが異なり、それらの画素１はそれぞれ右眼、左眼の視差方向の視差画像に対応するように配置されているため、３Ｄ（立体）像が観察できることになる。
【００１４】
このように、従来の立体印刷物は、１つの立体画素１０は横方向に視差数に対応するだけの画素１を並べて構成した横長の立体画素であるため、その縦横比が１対１となっておらず、縦方向と横方向の解像度がバランスしておらず、高品質な立体印刷物と言うことは必ずしもできないものであった。
【００１５】
図６（ｂ）は、従来の液晶ディスプレイとレンチキュラレンズを組み合わせた立体ディスプレイにおける１つの立体画素とレンチキュラレンズの関係を示す図（非特許文献１）であり、この場合は、液晶ディスプレイは、Ｒ画素１Ｒ、Ｂ画素１Ｂ、Ｇ画素１Ｇのｍ＝３個からなる画素ユニット１１が横方向に繰り返し配列され、縦方向には横方向の画素ユニット１１の繰り返し配列と同じ配列となっており、液晶ディスプレイの縦の画素ユニット１１の配列に対して斜めにレンチキュラレンズの円筒レンズ２が配置さている。図６（ｂ）の場合、横方向（視差方向）においてはＭ＝４個の画素ユニット１１に対して１個の円筒レンズ２が対応しており、縦方向のＮ＝６個の画素ユニット１１の組に対して横方向に丁度１個の画素ユニット１１がずれるように円筒レンズ２が画素配列に対して斜めに配置されている。そして、この範囲でカバーされる２４個の画素ユニット１１、すなわち、縦横方向にＲ画素１Ｒ、Ｂ画素１Ｂ、Ｇ画素１Ｇそれぞれが２４個存在する画素ユニットが１つの立体画素１０を構成しており、２４個の視差像が円筒レンズ２を並列配置してなるレンチキュラレンズを通して再生される。図７に、１つの立体画素１０におけるＲ画素１Ｒのみを抽出してそれらの配置位置を示してある。図７の「Ｒ」の後に付した数字は視差番号を示し、視差方向が右から左へ移動するに連れて、Ｒ１から順にＲ２４の画素が円筒レンズ２を通して視野に入ることになる。
【００１６】
この場合に、１画素の横方向の寸法を１とし、縦方向の横方向の寸法に対する比をｎ＝３とすると、１つの立体画素１０の寸法は、横×縦＝（ｍ×Ｍ）×（ｎ×Ｎ）＝（３×４）×（３×６）＝１２×１８となり、横方向は、図６（ａ）の立体印刷物の場合と同じであるが、縦方向については１８倍となり、視差像の数が２倍になっていることを考慮に入れても、解像度が非常に悪いことが分かる。
【００１７】
そこで、本発明においては、印刷物として、画素１、１Ｒ、１Ｂ、１Ｇの横寸法に対する縦寸法の比ｎや画素ユニット１１を構成する画素１、１Ｒ、１Ｂ、１Ｇの数ｍを調節することにより、立体画素１０の横×縦の寸法をより小さくして解像度をより高くすることを考える。
【００１８】
図１は、画素１Ｒ、１Ｂ、１Ｇの縦の寸法を３より短くｎ＜３とし、ｎ＝１（図１（ａ））とｎ＝２（図１（ｂ））にした場合の、図６（ｂ）に対応する印刷物とレンチキュラレンズを組み合わせた立体印刷物における１つの立体画素１０とレンチキュラレンズ２の関係を示す図である。立体画素１０の横方向の画素ユニット１１の数はＭ＝４、縦方向の画素ユニットの数はＮ＝６で、視差数はＭ×Ｎ＝２４であり、画素ユニット１１を構成する画素の数はｍ＝３（Ｒ画素１Ｒ、Ｂ画素１Ｂ、Ｇ画素１Ｇ）で、図６（ｂ）の場合と同じである。
【００１９】
図１（ａ）のｎ＝１の場合、１つの立体画素１０の寸法は、横×縦＝（ｍ×Ｍ）×（ｎ×Ｎ）＝（３×４）×（１×６）＝１２×６となり、図６（ｂ）の場合の縦方向の解像度の３倍になる。横方向の解像度は同じである。
【００２０】
図１（ｂ）のｎ＝２の場合、１つの立体画素１０の寸法は、横×縦＝（ｍ×Ｍ）×（ｎ×Ｎ）＝（３×４）×（２×６）＝１２×１２となり、図６（ｂ）の場合の縦方向の解像度の１．５倍になる。横方向の解像度は図６（ｂ）の場合と同じである。そして、この例では、縦方向と横方向の解像度は同じになっている。
【００２１】
図２は、画素ユニット１１を構成する画素の数ｍを３より小さくｍ＜３とし、ｍ＝２（図２（ｂ））とｍ＝１（図２（ｃ））にした場合の、図６（ｂ）に対応する印刷物とレンチキュラレンズを組み合わせた立体印刷物における１つの立体画素１０とレンチキュラレンズ２の関係を示す図である。立体画素１０の横方向の画素ユニット１１の数はＭ＝４、縦方向の画素ユニットの数はＮ＝６で、視差数はＭ×Ｎ＝２４であり、画素１Ｒ、１Ｂ、１Ｇの縦の寸法はｎ＝３で、図６（ｂ）の場合と同じである。
【００２２】
図２（ａ）は、図６（ｂ）と同じ場合の図であり、この構成において、画素ユニット１１を構成する画素の数ｍを３より小さくするために、１つの画素ユニット１１のＲ画素１ＲとＢ画素１Ｂを加法混色により足し合わせて１つの画素１ＲＢにしたものが図２（ｂ）であり、さらには、１つの画素ユニット１１のＲ画素１ＲとＢ画素１ＢとＧ画素１Ｇとを加法混色により足し合わせて１つのフルカラーの画素１Ｆにしたものが図２（ｃ）である。
【００２３】
図２（ｂ）は、１つの画素ユニット１１がＲ画素１ＲとＢ画素１Ｂを加法混色により足し合わせた画素１ＲＢとＧ画素１Ｇからなり、ｍ＝２となって、１つの立体画素１０の寸法は、横×縦＝（ｍ×Ｍ）×（ｎ×Ｎ）＝（２×４）×（３×６）＝８×１８となり、図６（ｂ）の場合の横方向の解像度の１．５倍になる。縦方向の解像度は同じである。
【００２４】
図２（ｃ）は、１つの画素ユニット１１がＲ画素１ＲとＢ画素１ＢとＧ画素１Ｇとを加法混色により足し合わせたフルカラーの画素１Ｆ１個からなり、ｍ＝１となって、１つの立体画素１０の寸法は、横×縦＝（ｍ×Ｍ）×（ｎ×Ｎ）＝（１×４）×（３×６）＝４×１８となり、図６（ｂ）の場合の横方向の解像度の３倍になる。縦方向の解像度は同じである。
【００２５】
この図２（ｂ）、（ｃ）の特徴は、印刷物の画素１ＲＢ、１Ｆがその位置で加法混色のインキにより印刷されるため、図２（ｂ）は図２（ａ）より、図２（ｃ）は図２（ｂ）より明るい画像が表示可能である点である（白を表示するときの明るさを比較すれば、明るさの比較は明らかである。）。
【００２６】
図３は、図２（ａ）、（ｂ）、（ｃ）の状態で、それぞれ画素１Ｒ、１Ｂ、１Ｇ、１ＲＧ、１Ｆの縦の寸法を３より短いｎ＝２とした場合の、図１、図２と同様の図である。立体画素１０の横方向の画素ユニット１１の数はＭ＝４、縦方向の画素ユニットの数はＮ＝６で、視差数はＭ×Ｎ＝２４である。
【００２７】
図３（ａ）は、図６（ｂ）の状態から、ｍ＝３のままｎ＝２とした場合であり、１つの立体画素１０の寸法は、横×縦＝（ｍ×Ｍ）×（ｎ×Ｎ）＝（３×４）×（２×６）＝１２×１２となり、図６（ｂ）の場合の縦方向の解像度の１．５倍になる。横方向の解像度は同じである。そして、この例では、縦方向と横方向の解像度は同じになっている（図１（ｂ）と同じ）。
【００２８】
図３（ｂ）は、１つの画素ユニット１１がＲ画素１ＲとＢ画素１Ｂを加法混色により足し合わせた画素１ＲＢとＧ画素１Ｇからなり、ｍ＝２となっており、ｎ＝２であるから、１つの立体画素１０の寸法は、横×縦＝（ｍ×Ｍ）×（ｎ×Ｎ）＝（２×４）×（２×６）＝８×１２となり、図６（ｂ）の場合の横方向の解像度の１．５倍になり、縦方向の解像度は図６（ｂ）の場合の１．５倍になる。
【００２９】
図３（ｃ）は、１つの画素ユニット１１がＲ画素１ＲとＢ画素１ＢとＧ画素１Ｇとを加法混色により足し合わせたフルカラーの画素１Ｆ１個からなり、ｍ＝１となっており、ｎ＝２であるから、１つの立体画素１０の寸法は、横×縦＝（ｍ×Ｍ）×（ｎ×Ｎ）＝（１×４）×（２×６）＝４×１２となり、図６（ｂ）の場合の横方向の解像度の３倍になり、縦方向の解像度は図６（ｂ）の場合の１．５倍になる。
【００３０】
図４は、図２（ａ）、（ｂ）、（ｃ）の状態で、さらにそれぞれ画素１Ｒ、１Ｂ、１Ｇ、１ＲＧ、１Ｆの縦の寸法を３より短いｎ＝１とした場合の、図１、図２と同様の図である。立体画素１０の横方向の画素ユニット１１の数はＭ＝４、縦方向の画素ユニットの数はＮ＝６で、視差数はＭ×Ｎ＝２４である。
【００３１】
図４（ａ）は、図６（ｂ）の状態から、ｍ＝３のままｎ＝１とした場合であり、１つの立体画素１０の寸法は、横×縦＝（ｍ×Ｍ）×（ｎ×Ｎ）＝（３×４）×（１×６）＝１２×６となり、図６（ｂ）の場合の縦方向の解像度の３倍になる。横方向の解像度は同じである。
【００３２】
図４（ｂ）は、１つの画素ユニット１１がＲ画素１ＲとＢ画素１Ｂを加法混色により足し合わせた画素１ＲＢとＧ画素１Ｇからなり、ｍ＝２となっており、ｎ＝１であるから、１つの立体画素１０の寸法は、横×縦＝（ｍ×Ｍ）×（ｎ×Ｎ）＝（２×４）×（１×６）＝８×６となり、図６（ｂ）の場合の横方向の解像度の１．５倍になり、縦方向の解像度は図６（ｂ）の場合の３倍になる。
【００３３】
図４（ｃ）は、１つの画素ユニット１１がＲ画素１ＲとＢ画素１ＢとＧ画素１Ｇとを加法混色により足し合わせたフルカラーの画素１Ｆ１個からなり、ｍ＝１となっており、ｎ＝１であるから、１つの立体画素１０の寸法は、横×縦＝（ｍ×Ｍ）×（ｎ×Ｎ）＝（１×４）×（１×６）＝４×６となり、図６（ｂ）の場合の横方向の解像度の３倍になり、縦方向の解像度は図６（ｂ）の場合の３倍になる。
【００３４】
以上のように、本発明の立体印刷物においては、１個の画素の横寸法に対する縦寸法の比ｎについて、
ｎ＜３                                                        ・・・（１）
を満足するか、あるいは、１個の画素ユニットを構成する画素の数ｍについて、
ｍ＜３                                                        ・・・（２）
を満足することが、縦方向あるいは横方向の解像度の向上にとって必要なことである。
【００３５】
また、横方向と縦方向の解像度のバランスをとるためには、
ｍ×Ｍ＝ｎ×Ｎ                                                ・・・（３）
を満足することが望ましい。
【００３６】
上記条件（１）〜（３）については、何れか複数の条件あるいは全ての条件を満足すると、より好ましい。
【００３７】
ところで、図６（ｂ）の従来の液晶ディスプレイとレンチキュラレンズを組み合わせた立体ディスプレイにおいては、横方向の画素ユニット１１の繰り返し配列と同じ配列が縦方向に並列されてなり、その液晶ディスプレイの縦の画素ユニット１１の配列に対して斜めにレンチキュラレンズの円筒レンズ２を配置するものであったが、図８（ａ）に示すように、横方向の画素ユニット１１の繰り返し配列と同じ配列を一定の位相、図８（ａ）の場合は１画素分だけ横方向に順にずらしながら縦方向に並列させても、同様の立体ディスプレイを実現することができる。図８（ｂ）には、図８（ａ）の場合の１つの立体画素１０におけるＲ画素１Ｒ、Ｂ画素１Ｂ、Ｇ画素１Ｇそれぞれの配置位置を示してある。図８（ｂ）の「Ｒ」、「Ｂ」、「Ｇ」の後に付した数字は視差番号を示し、視差方向が右から左へ移動するに連れて、Ｒ１、Ｂ１、Ｇ１から順にＲ２４、Ｂ２４、Ｇ２４の各原色画素が円筒レンズ２を通して視野に入ることになる。
【００３８】
この図８（ａ）のような立体画素１０構成においても、本発明に基づいて、
ｎ＜３                                                        ・・・（１）
ｍ＜３                                                        ・・・（２）
ｍ×Ｍ＝ｎ×Ｎ                                                ・・・（３）
の少なくとも何れか１つを満たすようにすることができる。以下に、図５を参照にしてその１例を説明する。図５は図１（ｂ）に対応する例の図８と同様の図である。この例では、図８の画素１Ｒ、１Ｂ、１Ｇの縦の寸法を３より短くｎ＝２にした場合に対応する例であり、１つの立体画素１０の寸法は、横×縦＝（ｍ×Ｍ）×（ｎ×Ｎ）＝（３×４）×（２×６）＝１２×１２となり、図８の場合の縦方向の解像度の１．５倍になる。横方向の解像度は図８の場合と同じである。そして、この例では、縦方向と横方向の解像度は同じになっている。
【００３９】
この図８（ａ）のような立体画素１０構成に対して、それ以外の図１（ａ）、図２（ｂ）、（ｃ）、図３（ａ）〜（ｃ）、図４（ａ）〜（ｃ）の構成と同様に構成して、横方向、縦方向の解像度を上げ、また、縦横の解像度を合わせることができる。
【００４０】
以上、本発明の立体表示媒体を立体印刷物の実施例に基づいて説明してきたが、本発明はこれら実施例に限定されず種々の変形が可能である。なお、以上の実施例において視差数をＭ×Ｎ＝２４としたが、Ｍ又はＮ、あるいは、その両方を変えてそれより多くしても少なくしてもよいことは勿論である。さらに、ｍ又はｎの一方が３より小さいときに、他方を３以上にしてもよいことは明らかである。
【００４１】
以上の説明は、本発明の立体表示媒体を印刷物に適用した場合であるが、レンチキュラレンズと組み合わせるものを印刷物の代わりに、Ｒ、Ｇ、Ｂの３画素で１画素ユニットを構成する液晶ディスプレイや、フィールドシーケンシャル（ＦＳ）方式に基づく液晶ディスプレイや、ＥＤＰ（電気泳動現象を利用したディスプレイ）方式のディスプレイに適用することができる。
【００４２】
ここで、ＦＳ方式の液晶ディスプレイは、カラーフィルタを使用しないで、代わりに赤、青、緑のＬＥＤ（発光ダイオード）を順番で毎秒６０回、高速で点滅させ、１画素で所望の色を表現できるものであり、３原色を合わせると白になるのと同様に、人間の目には一種の残像現象で白に映り、赤や青の頻度を多くすれば色が表現できるという仕組みである（http://it.nikkei.co.jp/it/utility/word.cfm?wordid=259 ）。
【００４３】
また、ＥＤＰ方式のディスプレイは、２枚のプラスチックフィルムの間に帯電したトナーを封じ込めて、トナーの面内分布を電気的に変化させて画像を形成するものであり、画像形成後は、電気を切っても電極表面に吸着されたトナーはその状態を保持するため、表示画像には不揮発性がある。また、１つの画素をＲＧＢに３分割したり、ＣＭＹの３層を上下に積層することでカラー表示が可能である（http://web.canon.jp/technology/detail/device/pl ＿display/）。
【００４４】
したがって、これらＦＳ方式の液晶ディスプレイ、ＥＤＰ方式のディスプレイにおいても、本発明においてｍ＝１の立体表示媒体が実現できる。
【００４５】
以上のように、本発明においては、従来行われている液晶ディスプレイと斜め配置のレンチキュラレンズを組み合わせて、横方向と縦方向の解像度を共に犠牲にするようにして横方向の視差数を増加させた立体ディスプレイの手法を印刷物あるいは表示パネル等の立体表示媒体に適用するに当たり、液晶ディスプレイを前提としていた画素条件をブラッシュアップすることで、立体像の解像力、縦横方向の解像力のバランスにおける品質を向上させるものである。
【図面の簡単な説明】
【００４６】
【図１】ＲＧＢ画素の縦の寸法をｎ＜３とした場合の印刷物とレンチキュラレンズを組み合わせた立体印刷物における１つの立体画素とレンチキュラレンズの関係を示す図である。
【図２】画素ユニットを構成する画素の数を３より小さくした場合の図１と同様の図である。
【図３】図２の状態で画素の縦の寸法をｎ＝２とした場合の図１、図２と同様の図である。
【図４】図２の状態で画素の縦の寸法をｎ＝１とした場合の図１、図２と同様の図である。
【図５】図１（ｂ）に対応する別の例の１つの立体画素とレンチキュラレンズの関係を示す図（ａ）と１つの立体画素におけるＲ画素、Ｂ画素、Ｇ画素それぞれの配置位置を示した図（ｂ）である。
【図６】従来の立体印刷物の１つの立体画素とレンチキュラレンズの関係を示す図である。
【図７】図６の１つの立体画素におけるＲ画素のみを抽出してそれらの配置位置を示した図である。
【図８】従来の立体ディスプレイの変形例における１つの立体画素とレンチキュラレンズの関係を示す図（ａ）と１つの立体画素におけるＲ画素、Ｂ画素、Ｇ画素それぞれの配置位置を示した図（ｂ）である。
【符号の説明】
【００４７】
１…画素
１Ｒ…Ｒ画素
１Ｂ…Ｂ画素
１Ｇ…Ｇ画素
１ＲＢ…Ｒ画素とＢ画素を加法混色により足し合わせて１つにした画素
１Ｆ…Ｒ画素とＢ画素とＧ画素とを加法混色により足し合わせて１つにした画素（フルカラーの画素）
２…レンチキュラレンズを構成する円筒レンズ
１０…立体画素
１１…画素ユニット
【図１】
2006163278.tif 000003
【図２】
2006163278.tif 000004
【図３】
2006163278.tif 000005
【図４】
2006163278.tif 000006
【図５】
2006163278.tif 000007
【図６】
2006163278.tif 000008
【図７】
2006163278.tif 000009
【図８】
2006163278.tif 000010